【手続補正書】
【提出日】平成27年4月16日(2015.4.16)
【手続補正１】
【補正対象書類名】特許請求の範囲
【補正対象項目名】全文
【補正方法】変更
【補正の内容】
【特許請求の範囲】
【請求項１】
情報処理装置であって、
電源スイッチがユーザによって押下されることに従って、前記情報処理装置が前記省電力状態に移行する前の前記情報処理装置の状態を示す情報を記憶手段に記憶して、前記情報処理装置を前記省電力状態に移行させる移行手段と、
前記省電力状態において前記電源スイッチがユーザによって押下されることに従って、前記記憶手段に記憶された前記情報を使って、前記情報処理装置を前記省電力状態に移行する前の状態に復帰させる復帰手段と、
前記復帰手段が前記情報処理装置を前記省電力状態から復帰させたときに表示部に表示されるべき画面が、予め設定されている初期画面となるよう制御する制御手段と、を備えることを特徴とする情報処理装置。
【請求項２】
前記初期画面は、前記情報処理装置の初期状態として表示するべき画面である、ことを特徴とする請求項１に記載の情報処理装置。
【請求項３】
前記制御手段は、前記表示部に表示される画面を前記初期画面に戻すオートクリア処理を実行する、ことを特徴とする請求項１又は２に記載の情報処理装置。
【請求項４】
前記制御手段は、前記情報処理装置を前記省電力状態に移行させるときに、前記オートクリア処理を実行する、ことを特徴とする請求項１乃至３の何れか１項に記載の情報処理装置。
【請求項５】
前記制御手段は、前記情報処理装置を前記省電力状態から復帰させるときに、前記オートクリア処理を実行する、ことを特徴とする請求項１乃至３の何れか１項に記載の情報処理装置。
【請求項６】
ユーザを認証する機能が有効になっている場合、前記初期画面はユーザを認証するために必要な情報を入力するためのログイン画面である、ことを特徴とする請求項１乃至５の何れか１項に記載の情報処理装置。
【請求項７】
前記必要な情報は、ユーザＩＤである、ことを特徴とする請求項６に記載の情報処理装置。
【請求項８】
前記移行手段は、前記電源スイッチがユーザによって押下されることに従って、前記表示部のバックライトを消灯し、
前記制御手段は、前記バックライトが消灯した後に、前記初期画面が前記表示部に表示されるよう制御する、ことを特徴とする請求項１乃至７の何れか１項に記載の情報処理装置。
【請求項９】
前記記憶手段は、前記省電力状態において電力が供給される揮発性のメモリである、ことを特徴とする請求項１乃至８の何れか１項に記載の情報処理装置。
【請求項１０】
前記記憶手段は、前記省電力状態において電力供給が停止される不揮発性のメモリである、ことを特徴とする請求項１乃至９の何れか１項に記載の情報処理装置。
【請求項１１】
前記省電力状態は、ハイバネーション状態又はサスペンド状態である、ことを特徴とする請求項１乃至１０の何れか１項に記載の情報処理装置。
【請求項１２】
高速起動機能を有効にするための設定手段をさらに備え、
前記移行手段は、前記高速起動機能が有効の場合に、前記情報処理装置を前記省電力状態に移行させ、前記高速起動機能が無効の場合に、前記情報処理装置を電源オフ状態に移行させる、ことを特徴とする請求項１乃至１１の何れか１項に記載の情報処理装置。
【請求項１３】
前記復帰手段は、前記高速起動機能が有効の場合に、前記記憶手段に記憶された前記情報を使って、前記情報処理装置を前記省電力状態に移行する前の状態に復帰させ、前記高速起動機能が無効の場合に、不揮発性の記憶手段に記憶される起動プログラムを実行して、前記情報処理装置を電源オフ状態から起動する、ことを特徴とする請求項１２に記載の情報処理装置。
【請求項１４】
前記初期画面は、前記情報処理装置が前記電源オフ状態から起動したときに表示される画面である、ことを特徴とする請求項１３に記載の情報処理装置。
【請求項１５】
用紙に画像を印刷する印刷手段をさらに備える、ことを特徴とする請求項１乃至１４の何れか１項に記載の情報処理装置。
【請求項１６】
情報処理装置の制御方法であって、
電源スイッチがユーザによって押下されることに従って、前記情報処理装置が前記省電力状態に移行する前の前記情報処理装置の状態を示す情報を記憶手段に記憶して、前記情報処理装置を前記省電力状態に移行させる移行ステップと、
前記省電力状態において前記電源スイッチがユーザによって押下されることに従って、前記記憶手段に記憶された前記情報を使って、前記情報処理装置を前記省電力状態に移行する前の状態に復帰させる復帰ステップと、
前記情報処理装置が前記省電力状態から復帰するときに、予め設定されている初期画面が表示部に表示されるよう制御する制御ステップと、を有することを特徴とする情報処理装置の制御方法。
【請求項１７】
前記初期画面は、前記情報処理装置の初期状態として表示するべき画面である、ことを特徴とする請求項１６に記載の情報処理装置の制御方法。
【請求項１８】
前記制御ステップでは、前記情報処理装置が前記省電力状態から復帰するときに、前記表示部に表示される画面を前記初期画面に戻すオートクリア処理を実行する、ことを特徴とする請求項１６又は１７に記載の情報処理装置の制御方法。
【請求項１９】
前記オートクリア処理は、前記情報処理装置を前記省電力状態に移行させるときに実行される、ことを特徴とする請求項１６乃至１８の何れか１項に記載の情報処理装置の制御方法。
【請求項２０】
前記オートクリア処理は、前記情報処理装置を前記省電力状態から復帰させるときに実行される、ことを特徴とする請求項１６乃至１８の何れか１項に記載の情報処理装置の制御方法。
【請求項２１】
ユーザを認証する機能が有効になっている場合、前記初期画面はユーザを認証するために必要な情報を入力するためのログイン画面である、ことを特徴とする請求項１６乃至２０の何れか１項に記載の情報処理装置の制御方法。
【請求項２２】
前記必要な情報は、ユーザＩＤである、ことを特徴とする請求項２１に記載の情報処理装置の制御方法。
【請求項２３】
前記移行ステップでは、前記電源スイッチがユーザによって押下されることに従って、前記表示部のバックライトを消灯し、
前記制御ステップでは、前記バックライトが消灯した後に、前記初期画面が前記表示部に表示されるよう制御する、ことを特徴とする請求項１６乃至２２の何れか１項に記載の情報処理装置の制御方法。
【請求項２４】
前記記憶手段は、前記省電力状態において電力が供給される揮発性のメモリである、ことを特徴とする請求項１６乃至２３の何れか１項に記載の情報処理装置の制御方法。
【請求項２５】
前記記憶手段は、前記省電力状態において電力供給が停止される不揮発性のメモリである、ことを特徴とする請求項１６乃至２３の何れか１項に記載の情報処理装置の制御方法。
【請求項２６】
前記省電力状態は、ハイバネーション状態又はサスペンド状態である、ことを特徴とする請求項１６乃至２５の何れか１項に記載の情報処理装置の制御方法。
【請求項２７】
高速起動機能を有効にするための設定ステップをさらに有し、
前記移行ステップでは、前記高速起動機能が有効の場合に、前記情報処理装置を前記省電力状態に移行させ、前記高速起動機能が無効の場合に、前記情報処理装置を電源オフ状態に移行させる、ことを特徴とする請求項１６乃至２６の何れか１項に記載の情報処理装置の制御方法。
【請求項２８】
前記復帰ステップは、前記高速起動機能が有効の場合に、前記記憶手段に記憶された前記情報を使って、前記情報処理装置を前記省電力状態に移行する前の状態に復帰させ、前記高速起動機能が無効の場合に、不揮発性の記憶手段に記憶される起動プログラムを実行して、前記情報処理装置を電源オフ状態から起動する、ことを特徴とする請求項２７に記載の情報処理装置の制御方法。
【請求項２９】
前記初期画面は、前記情報処理装置が前記電源オフ状態から起動したときに表示される画面である、ことを特徴とする請求項２８に記載の情報処理装置の制御方法。
【請求項３０】
用紙に画像を印刷する印刷ステップをさらに備える、ことを特徴とする請求項１６乃至２９の何れか１項に記載の情報処理装置の制御方法。
【請求項３１】
情報処理装置のコンピュータを、
電源スイッチがユーザによって押下されることに従って、前記情報処理装置が前記省電力状態に移行する前の前記情報処理装置の状態を示す情報を記憶手段に記憶して、前記情報処理装置を前記省電力状態に移行させる移行手段、
前記省電力状態において前記電源スイッチがユーザによって押下されることに従って、前記記憶手段に記憶された前記情報を使って、前記情報処理装置を前記省電力状態に移行する前の状態に復帰させる復帰手段、及び、
前記復帰手段が前記情報処理装置を前記省電力状態から復帰させたときに表示部に表示されるべき画面が、予め設定されている初期画面となるよう制御する制御手段、として機能させることを特徴とするプログラム。
【請求項３２】
情報処理装置のコンピュータを、
電源スイッチがユーザによって押下されることに従って、前記情報処理装置が前記省電力状態に移行する前の前記情報処理装置の状態を示す情報を記憶手段に記憶して、前記情報処理装置を前記省電力状態に移行させる移行手段、
前記省電力状態において前記電源スイッチがユーザによって押下されることに従って、前記記憶手段に記憶された前記情報を使って、前記情報処理装置を前記省電力状態に移行する前の状態に復帰させる復帰手段、及び、
前記復帰手段が前記情報処理装置を前記省電力状態から復帰させたときに表示部に表示されるべき画面が、予め設定されている初期画面となるよう制御する制御手段、として機能させるプログラムを記録したことを特徴とする記録媒体。
【手続補正２】
【補正対象書類名】明細書
【補正対象項目名】発明の名称
【補正方法】変更
【補正の内容】
【発明の名称】情報処理装置、情報処理装置の制御方法、プログラム及び記憶媒体
【手続補正３】
【補正対象書類名】明細書
【補正対象項目名】０００８
【補正方法】変更
【補正の内容】
【０００８】
本発明に係る情報処理装置は、電源スイッチがユーザによって押下されることに従って、情報処理装置が省電力状態に移行する前の情報処理装置の状態を示す情報を記憶手段に記憶して、情報処理装置を省電力状態に移行させる移行手段と、省電力状態において電源スイッチがユーザによって押下されることに従って、記憶手段に記憶された情報を使って、情報処理装置を省電力状態に移行する前の状態に復帰させる復帰手段と、復帰手段が情報処理装置を省電力状態から復帰させたときに表示部に表示されるべき画面が、予め設定されている初期画面となるよう制御する制御手段と、を備える。